(57)【要約】      （修正有）【課題】良好な多方向出光の照明効果を有する多方向出光ＬＥＤ電球を提供する。【解決手段】放熱筒体１００と、ハウジングユニット２００と、口金３００と、ＬＥＤ発光ユニットと、駆動回路基板と、下部透明グローブ６２０及び上部透明グローブ６１０を含み、ＬＥＤ発光ユニットを覆うように放熱筒体１００の底部に組み込まれ、横方向面積が放熱筒体１００の横方向面積より大きく、放熱筒体１００から横方向に突出する透明グローブユニット６００と、を備える。ＬＥＤ発光ユニットから発光する光は、下部透明グローブ６２０を透過して口金３００の対向端の方向から出光する以外、その一部を下部透明グローブ６２０で反射して上部透明グローブ６１０を透過して口金３００側の方向から出光する。これにより、良好な多方向出光の照明効果が達成される。【選択図】図１０
0003198690.tif 000002
【実用新案登録請求の範囲】
【請求項１】
放熱筒体と、
前記放熱筒体の頂部に組み込まれるハウジングユニットと、
前記ハウジングユニットの頂部に組み込まれる口金と、
前記放熱筒体の内部に装設されるＬＥＤ発光ユニットと、
前記口金と前記ＬＥＤ発光ユニットとを電気的に接続するように、前記ハウジングユニットの内部に装設される駆動回路基板と、
前記ＬＥＤ発光ユニットを覆うように前記放熱筒体の底部に組み込まれて、横方向面積が前記放熱筒体の横方向面積より大きく、前記放熱筒体から横方向に突出する透明グローブユニットと、を備える多方向出光ＬＥＤ電球。
【請求項２】
前記透明グローブユニットは、上部透明グローブと、前記上部透明グローブの底部に組み込まれる下部透明グローブと、を含む請求項１に記載の多方向出光ＬＥＤ電球。
【請求項３】
前記上部透明グローブは、凸状グローブとなり、順次に接続する上部内輪壁体と、平面カバーと、内壁に複数の内部ノッチが間隔をあけて設けられる下部外輪壁体を有し、下部透明グローブは、鉢状グローブとなり、鉢状カバーと、前記鉢状カバーの周囲に接続され、前記複数の内部ノッチの各々にそれぞれ係合される複数の外部フックが間隔をあけて設けられる環状凸壁と、を有する請求項２に記載の多方向出光ＬＥＤ電球。
【請求項４】
前記放熱筒体は、対向に位置する第１の外端部及び第２の外端部を有する環状壁体を含み、前記環状壁体に複数の空気対流通路が前記第１の外端部から前記第２の外端部まで貫通して設けられ、前記放熱筒体の内部の内壁の間に横方向支持板があり、前記ＬＥＤ発光ユニットが前記横方向支持板の底面に装設される請求項３に記載の多方向出光ＬＥＤ電球。
【請求項５】
前記放熱筒体の環状壁体の内壁の底部に第１の環状溝が設けられ、前記透明グローブユニットの上部内輪壁体に、前記第１の環状溝にそれぞれ係合される複数の第１の係合部が間隔をあけて設けられる請求項４に記載の多方向出光ＬＥＤ電球。
【請求項６】
前記ハウジングユニットは、上部ハウジングと、前記上部ハウジングの底面に組み込まれる下部ハウジングと、を含み、前記上部ハウジング及び前記下部ハウジングの内部に、駆動回路基板が装設される収納室が形成される請求項４に記載の多方向出光ＬＥＤ電球。
【請求項７】
前記放熱筒体の環状壁体の内壁の頂部に第２の環状溝が設けられ、前記ハウジングユニットの上部ハウジングの底部に、前記第２の環状溝にそれぞれ係合される複数の第２の係合部が間隔をあけて設けられる請求項６に記載の多方向出光ＬＥＤ電球。
【請求項８】
ＬＥＤ発光ユニットは、基板と、前記基板に設けられる複数のＬＥＤと、を有する請求項１に記載の多方向出光ＬＥＤ電球。
【考案の詳細な説明】
【技術分野】
【０００１】
本考案は、ＬＥＤ電球に関し、特に、多方向出光ＬＥＤ電球に関する。
【背景技術】
【０００２】
発光ダイオード（Ｌｉｇｈｔ  Ｅｍｉｔｔｉｎｇ  Ｄｉｏｄｅ；ＬＥＤ）は、小型化、省電力、高速応答性、色の豊かさ、及びエコロジー等のメリットがあるため、既に現代生活における重要な発光素子となっている。特に、照明器具として広く適用され、ＬＥＤ電球等のＬＥＤ照明器具となっている。
【０００３】
発光ダイオードを光源とするＬＥＤ電球は、内部に駆動回路基板が接続されたジョイント型の口金を有し、従来のタングステン電球の口金と同じであるため、直接従来のランプホルダに組み立てて使用することができ、利用に便利である。
【０００４】
普通のＬＥＤ電球は、一般的に、放熱ホルダと、口金と、グローブと、ＬＥＤ発光ユニットと、駆動回路基板と、を含む。ＬＥＤ発光ユニットが前記グローブに覆われるように、放熱ホルダの一端に装設される。駆動回路基板がＬＥＤ発光ユニットと口金とを電気的に接続するように、放熱ホルダの他端に装設される。発光ユニットの発生する熱が放熱ホルダにより放熱される。
【考案の概要】
【考案が解決しようとする課題】
【０００５】
ＬＥＤ電球の駆動回路基板及び放熱ホルダ等の部材が一般的にグローブの口金に対向する一端に位置するため、ＬＥＤ発光ユニットから発光する光は、口金側に向かう方向で放熱ホルダにより遮断される。即ち、ＬＥＤ発光ユニットから発光する光は、口金の対向端の方向のみから出光し、同時に口金側の方向からは出光できないため、口金側の方向において暗所が形成され、照明効果が低下する。
【課題を解決するための手段】
【０００６】
本考案は、良好な多方向出光の照明効果を有する多方向出光ＬＥＤ電球を提供する。
【０００７】
本考案の一態様によると、放熱筒体と、放熱筒体の頂部に組み込まれるハウジングユニットと、ハウジングユニットの頂部に組み込まれる口金と、放熱筒体の内部に装設されるＬＥＤ発光ユニットと、口金とＬＥＤ発光ユニットとを電気的に接続するように、ハウジングユニットの内部に装設される駆動回路基板と、ＬＥＤ発光ユニットを覆うように放熱筒体の底部に組み込まれて、横方向面積が放熱筒体の横方向面積より大きく、放熱筒体から横方向に突出する透明グローブユニットと、を備える多方向出光ＬＥＤ電球を提供する。
【０００８】
本考案の一実施例によると、透明グローブユニットは、上部透明グローブと、前記上部透明グローブの底部に組み込まれる下部透明グローブと、を含む。
【０００９】
本考案の一実施例によると、上部透明グローブは、凸状グローブとなり、順次に接続する上部内輪壁体と、平面カバーと、内壁に複数の内部ノッチが間隔をあけて設けられる下部外輪壁体と、を有し、下部透明グローブは、鉢状グローブとなり、鉢状カバーと、前記鉢状カバーの周囲に接続され、前記複数の内部ノッチの各々にそれぞれ係合される複数の外部フックが間隔をあけて設けられる環状凸壁と、を有する。
【００１０】
本考案の一実施例によると、放熱筒体は、対向に位置する第１の外端部及び第２の外端部を有する環状壁体を有し、前記環状壁体に複数の空気対流通路がその第１の外端部から第２の外端部まで貫通して設けられ、放熱筒体の内部の内壁の間に横方向支持板があり、ＬＥＤ発光ユニットが前記横方向支持板の底面に装設される。
【００１１】
。
本考案の一実施例によると、放熱筒体の環状壁体の内壁の底部に第１の環状溝が設けられ、透明グローブユニットの上部内輪壁体に、前記第１の環状溝にそれぞれ係合される複数の第１の係合部が間隔をあけて設けられる。
【００１２】
本考案の一実施例によると、ハウジングユニットは、上部ハウジングと、前記上部ハウジングの底面に組み込まれる下部ハウジングと、を含み、上部ハウジング及び下部ハウジングの内部に、駆動回路基板が装設される収納室が形成される。
【００１３】
本考案の一実施例によると、放熱筒体の環状壁体の内壁の頂部に第２の環状溝が設けられ、ハウジングユニットの上部ハウジングの底部に、前記第２の環状溝にそれぞれ係合される複数の第２の係合部が間隔をあけて設けられる。
【００１４】
本考案の一実施例によると、ＬＥＤ発光ユニットは、基板と、前記基板に設けられる複数のＬＥＤと、を有する。
【考案の効果】
【００１５】
本考案に係る多方向出光ＬＥＤ電球によると、透明グローブユニットは、横方向面積が放熱筒体の横方向面積より大きく、放熱筒体から横方向に突出する。そのため、ＬＥＤ発光ユニットから発光する光は、下部透明グローブを透過して口金の対向端の方向から出光する以外、その一部を下部透明グローブで反射して上部透明グローブを透過して口金側の方向から出光することで、良好な多方向出光の照明効果を達成して、口金側方向における暗所現象を改善する。
【図面の簡単な説明】
【００１６】
【図１】本考案の一実施形態に係る多方向出光ＬＥＤ電球を示す外観斜視図である。
【図２】図１に示す多方向出光ＬＥＤ電球を示す分解図である。
【図３】図１に示す多方向出光ＬＥＤ電球の一部を示す分解図である。
【図４】図３に示す多方向出光ＬＥＤ電球におけるＡ部分を示す拡大図である。
【図５】図３に示す多方向出光ＬＥＤ電球におけるＢ部分を示す拡大図である。
【図６】図３に示す多方向出光ＬＥＤ電球におけるＣ部分を示す拡大図である。
【図７】図１に示す多方向出光ＬＥＤ電球を示す断面図である。
【図８】図７に示す多方向出光ＬＥＤ電球におけるＤ部分を示す拡大図である。
【図９】図７に示す多方向出光ＬＥＤ電球におけるＥ部分を示す拡大図である。
【図１０】図１に示す多方向出光ＬＥＤ電球を示す使用模式図である。
【考案を実施するための形態】
【００１７】
本考案の前述及び他の技術内容、特徴と効果については、以下、参考図面に合わせて実施例を詳しく説明することで、明瞭に呈示される。
【００１８】
図１〜図９を参照されたい。本考案の一実施形態に係る多方向出光ＬＥＤ電球は、放熱筒体１００と、ハウジングユニット２００と、口金３００と、ＬＥＤ発光ユニット４００と、駆動回路基板５００と、透明グローブユニット６００と、を備える。
【００１９】
放熱筒体１００は、熱伝導性に優れた材質（例えば、アルミニウム、銅又はその合金）から製造される。放熱筒体１００は、対向に位置する第１の外端部１１１と第２の外端部１１２を有する環状壁体１１０を備える。放熱筒体１００の環状壁体１１０に、第１の外端部１１１から第２の外端部１１２まで複数の空気対流通路１２０が貫通して設けられる。放熱筒体１００内部の内壁の間に横方向支持板１３０がある。また、放熱筒体１００の環状壁体１１０の内壁の底部及び頂部に、それぞれ第１の環状溝１４０と第２の環状溝１５０が設けられる。
【００２０】
ハウジングユニット２００は、上部ハウジング２１０と、上部ハウジング２１０の底面に組み込まれる下部ハウジング２２０と、を含む。上部ハウジング及び下部ハウジングの内部に、収納室２３０が形成される。口金３００がハウジングユニット２００の上部ハウジング２１０の頂部に組み込まれる。駆動回路基板５００が、口金３００とＬＥＤ発光ユニット４００とを電気的に接続するように、ハウジングユニット２００内部の収納室２３０に装設される。ハウジングユニット２００の上部ハウジング２１０の底部に、放熱筒体１００の第２の環状溝１５０に係合された複数の第２の係合部２１１が間隔をあけて設けられる。
【００２１】
ＬＥＤ発光ユニット４００は、基板４１０と、前記基板に設けられる複数のＬＥＤ４２０と、を有する。ＬＥＤ発光ユニット４００は、口金３００の対向端の方向に向かい、即ち透明グローブユニット６００の方向に向かうように、放熱筒体１００の横方向支持板１３０の底面に装設される。ＬＥＤ４２０の使用時に発生した熱は、横方向支持板１３０及び放熱筒体１００の環状壁体１１０の表面を介して熱伝導するように放熱する以外、同時に空気対流通路１２０の空気が上下で自然対流するように排出されて放熱してもよい。
【００２２】
透明グローブユニット６００は、ＬＥＤ発光ユニット４００を覆うように、放熱筒体１００の底部に組み込まれる。透明グローブユニット６００は、横方向面積が放熱筒体１００の横方向面積より大きくて、前記放熱筒体から横方向に突出する。
【００２３】
透明グローブユニット６００は、上部透明グローブ６１０と、上部透明グローブ６１０の底部に組み込まれる下部透明グローブ６２０と、を含む。上部透明グローブ６１０は、凸状グローブとなり、順次に接続する上部内輪壁体６１１と、平面カバー６１２と、内壁に複数の内部ノッチ６１４が間隔をあけて設けられる下部外輪壁体６１３と、を有する。下部透明グローブ６２０は、鉢状グローブとなり、鉢状カバー６２１と、前記鉢状カバーの周囲に接続される環状凸壁６２２と、を有する。前記環状凸壁に複数の外部フック６２３が間隔をあけて設けられ、前記複数の外部フックが、上部透明グローブ６１０と下部透明グローブ６２０を一体に結合するように、別々に上部透明グローブ６１０の前記複数の内部ノッチ６１４の各々に係合される。また、透明グローブユニット６００の上部内輪壁体６１１に、放熱筒体１００底部の第１の環状溝１４０に係合される複数の第１の係合部６１５が間隔をあけて設けられる。透明グローブユニット６００は、上部透明グローブ６１０の上部内輪壁体６１１によって放熱筒体１００に組み込まれるため、上部透明グローブ６１０の平面カバー６１２が放熱筒体１００から横方向に幅Ｗで突出する。
【００２４】
図１０を合わせて参照されたい。本考案の一実施形態に係る多方向出光ＬＥＤ電球によると、透明グローブユニット６００の上部透明グローブ６１０の平面カバー６１２が口金３００側の方向の放熱筒体１００に遮断されないため、ＬＥＤ発光ユニット４００の発する光は、下部透明グローブ６２０の鉢状カバー６２１及び環状凸壁６２２を透過して口金３００の対向端の方向から発光する以外、その一部を更に鉢状カバー６２１で反射して上部透明グローブ６１０の平面カバー６１２を透過して口金３００側の方向から発光することで、良好な多方向出光の照明効果を達成して、口金側の方向における暗所現象を改善する。
【００２５】
本考案の実施形態を前述の通りに開示したが、これは、本考案を限定するものではなく、当業者なら誰でも、本考案の思想と範囲から逸脱しない限り、多様の変更や修正を加えることができ、したがって、本考案の保護範囲は、下記添付の実用新案登録請求の範囲で指定した内容を基準とするものである。
【符号の説明】
【００２６】
１００  放熱筒体
１１０  環状壁体
１１１  第１の外端部
１１２  第２の外端部
１２０  空気対流通路
１３０  横方向支持板
１４０  第１の環状溝
１５０  第２の環状溝
２００  ハウジングユニット
２１０  上部ハウジング
２１１  第２の係合部
２２０  下部ハウジング
２３０  収納室
３００  口金
４００  ＬＥＤ発光ユニット
４１０  基板
４２０  ＬＥＤ
５００  駆動回路基板
６００  透明グローブユニット
６１０  上部透明グローブ
６１１  上部内輪壁体
６１２  平面カバー
６１３  下部外輪壁体
６１４  内部ノッチ
６１５  第１の係合部
６２０  下部透明グローブ
６２１  鉢状カバー
６２２  環状凸壁
６２３  外部フック
【図１】
0003198690.tif 000003
【図２】
0003198690.tif 000004
【図３】
0003198690.tif 000005
【図４】
0003198690.tif 000006
【図５】
0003198690.tif 000007
【図６】
0003198690.tif 000008
【図７】
0003198690.tif 000009
【図８】
0003198690.tif 000010
【図９】
0003198690.tif 000011
【図１０】
0003198690.tif 000012